(57)【要約】  本発明は、圧力損失の発生を低減しつつ、バイオファウリングの発生を抑制し、逆浸透膜のろ過性能の低下を防止し、ろ過性能の長期安定化を図ることを目的としている。  本発明の淡水化システムは、被処理水を逆浸透膜エレメントでろ過し、淡水を得る淡水化システムであって、逆浸透膜の表面に発生するバイオファウリングを抑制するため、逆浸透膜エレメントの前段にバイオファウリング抑制装置が設置されている。
2014050402.tif 000002
【特許請求の範囲】
【請求項１】
被処理水を供給するための供給管路と、前記供給管路に接続される耐圧容器と、前記耐圧容器に収められ、前記被処理水を逆浸透ろ過する逆浸透膜エレメントと、前記逆浸透膜エレメントに接続され、前記被処理水のうち前記逆浸透膜エレメントを透過した透過水を、外部に排出する透過水管路と、前記耐圧容器に接続され、前記被処理水のうち前記逆浸透膜エレメントを透過しない濃縮水を、外部に排出する濃縮水管路と、前記供給管路に形成され、前記耐圧容器に前記被処理水を供給する第１のポンプと、を備える淡水化システムにおいて、
前記第１のポンプの上流側の供給管路に形成される容器と、前記容器に収められ、前記容器との間に前記被処理水を通水できる間隙を有するように設置される柱状体と、前記容器の上流側の前記供給管路に形成され、前記容器に前記被処理水を供給する第２のポンプと、を有するバイオファウリング抑制装置を、更に備える
ことを特徴とする淡水化システム。
【請求項２】
請求項１記載の淡水化システムにおいて、
前記逆浸透膜エレメントが、複数に分割形成され、
前記容器内の流速が、前記複数に分割形成された逆浸透膜エレメントの上流側１段目近傍の流速とほぼ同等である
ことを特徴とする淡水化システム。
【請求項３】
請求項１記載の淡水化システムにおいて、
前記柱状体の表面にはアルミナがコーティングされている
ことを特徴とする淡水化システム。
【請求項４】
請求項１記載の淡水化システムにおいて、
前記第２のポンプの供給圧力が、前記第１のポンプの供給圧力よりも低い
ことを特徴とする淡水化システム。
【請求項５】
請求項１記載の淡水化システムにおいて、
前記容器は、外部より前記柱状体の表面を視認できる透明な部材を少なくとも一部に有する
ことを特徴とする淡水化システム。
【請求項６】
請求項１記載の淡水化システムにおいて、
前記耐圧容器には前記逆浸透膜エレメントを洗浄する第１の洗浄機構を備え、前記容器には前記柱状体を洗浄する第２の洗浄機構を備える
ことを特徴とする淡水化システム。
【請求項７】
請求項１記載の淡水化システムにおいて、
前記容器をバイパスするバイパス管路が、前記容器の上流側と下流側とを結合するように、前記供給管路から分岐して形成され、前記第２のポンプから供給された前記被処理水が、前記容器または前記バイパス管路のいずれかを流れるように流れを変更する切替バルブを有する
ことを特徴とする淡水化システム。
【請求項８】
逆浸透膜エレメントを有し、被処理水をろ過するろ過装置と、
前記ろ過装置の上流側に配置され、内部でバイオファウリングを発生させることにより、下流側に配置される前記ろ過装置に流入する前記被処理水に存在する有機物を低減するバイオファウリング抑制装置と、を備える
ことを特徴とする淡水化システム。
【発明の詳細な説明】
【技術分野】
【０００１】
本発明は、淡水化システムに係り、特に、逆浸透膜を用いた淡水化システムに関する。
【背景技術】
【０００２】
淡水化システムは、水中の異物を除去するろ過膜等で構成されており、脱塩分野、食品分野、半導体分野で多用されている。このようなろ過膜には、精密ろ過膜、限外ろ過膜、ナノろ過膜、逆浸透膜等がある。このうち、逆浸透膜は孔径が最も小さく、水中に溶解している塩類、有機物等を除去し、水を通すことができる。【０００３】
逆浸透膜は、上述のように塩類、有機物等を除去して淡水を得ることができる。しかし、被処理水中の有機物を栄養源として微生物がスライム状に逆浸透膜の表面で増殖する、いわゆる、バイオファウリングが発生する。これにより、逆浸透膜の表面が汚染され、逆浸透膜の透過水量が減少し、ろ過圧力が上昇するなどの性能低下が生じる等の問題が発生している。【０００４】
このため、逆浸透膜は、このバイオファウリングを除去する洗浄作業が必要となる。しかし、逆浸透膜は、洗浄回数が増加すると、または、強い酸化剤を用いて洗浄すると、ろ過膜が劣化し、逆浸透膜の寿命が低下するという問題があった。【０００５】
そこで、従来の淡水化システムは、逆浸透膜のバイオファウリングを軽減する目的で、逆浸透膜によるろ過の前に、被処理水を前処理する。【０００６】
例えば、特許文献１には、逆浸透膜の前段に取り付けたセラミック製のナノろ過膜によって、被処理水中に含まれる溶解性の有機物を除去し、ナノろ過膜の後段に取り付けた逆浸透膜への有機物の負荷を低減し、洗浄回数を少なくする方法が開示されている。【０００７】
また、特許文献２には、被処理水をリン除去カラムに通水し、被処理水に存在するリン、または、リン酸イオンを除去することにより、殺菌剤を用いず、逆浸透膜の表面における微生物の増殖を抑制する方法が開示されている。
【先行技術文献】
【特許文献】
【０００８】
【特許文献１】特開２００８−３０２３３３号公報
【特許文献２】特開２０１１−２１８２６７号公報
【発明の概要】
【発明が解決しようとする課題】
【０００９】
特許文献１に示す方法では、前段のナノろ過膜により溶解性の有機物を除去できるため、逆浸透膜の表面に発生するバイオファウリングを効果的に防止できる。しかしながら、被処理水をナノろ過膜でろ過するため、圧力損失が発生する。【００１０】
また、特許文献２に示す方法では、被処理水をリン除去カラムに通水するため、被処理水中のリン濃度が低下し、バイオファウリングを効果的に防止できる。しかしながら、被処理水をリン除去カラムに通水するため、やはり圧力損失が発生する。【００１１】
そこで、本発明は、圧力損失の発生を低減しつつ、逆浸透膜エレメントにおけるバイオファウリングの発生を抑制する淡水化システムを提供することを課題とする。
【課題を解決するための手段】
【００１２】
このような課題を解決するために、本発明の淡水化システムは、被処理水を逆浸透膜エレメントでろ過し、淡水を得る淡水化システムであって、逆浸透膜エレメントに形成される逆浸透膜の表面に発生するバイオファウリングを抑制するため、逆浸透膜エレメントの前段にバイオファウリング抑制装置が設置されている。【００１３】
つまり、本発明の淡水化システムは、被処理水を供給するための供給管路と、供給管路に接続される耐圧容器と、耐圧容器に収められ、被処理水を逆浸透ろ過する逆浸透膜エレメントと、逆浸透膜エレメントに接続され、被処理水のうち逆浸透膜エレメントを透過した透過水を、外部に排出する透過水管路と、耐圧容器に接続され、被処理水のうち逆浸透膜エレメントを透過しない濃縮水を、外部に排出する濃縮水管路と、供給管路に形成され、耐圧容器に被処理水を供給する第１のポンプと、バイオファウリング抑制装置と、を備えるものである。【００１４】
そして、バイオファウリング抑制装置は、第１のポンプの上流側の供給管路に形成される容器と、容器に収められ、容器の内壁面との間に被処理水を通水できる間隙を有するように設置される柱状体と、容器の上流側の供給管路に形成され、容器に被処理水を供給する第２のポンプと、を有するものである。【００１５】
このバイオファウリング抑制装置は、容器と容器の内部に設置される柱状体とにより、圧力損失を低減しつつ、逆浸透膜の表面の被処理水の流れを再現するものである。これにより、これまで逆浸透膜の表面で発生していたバイオファウリングを、逆浸透膜の表面からバイオファウリング抑制装置の柱状体の表面に変えることで、逆浸透膜の表面で発生していたバイオファウリングを抑制することができる。【００１６】
つまり、本発明の淡水化システムは、バイオファウリングの原因物質を除去し、バイオファウリングの発生を抑制していた従来の技術に対して、逆に、バイオファウリング抑制装置において積極的にバイオファウリングを発生させるものである。結果として、本発明は、バイオファウリング抑制装置の後段に設置されている逆浸透膜エレメントにおけるバイオファウリングの発生を抑制するものである。
【発明の効果】
【００１７】
本発明の淡水化システムは、圧力損失の発生を低減しつつ、逆浸透膜エレメントにおけるバイオファウリングの発生を抑制することができる。これにより、逆浸透膜のろ過性能の低下を防止し、ろ過性能の長期安定化を図ることができる。
【図面の簡単な説明】
【００１８】
【図１】本発明の淡水化システムの構成概略を示す図である。
【図２】柱状体の形状の一例を示す図である。
【発明を実施するための形態】
【００１９】
本発明の淡水化システムの実施形態を、図面を参照しながら、以下に説明する。
【００２０】
図１は、本発明の淡水化システムの構成概略を示す図である。図１に示すように、淡水化システム１０は、被処理水１をろ過する逆浸透膜エレメント２の上流側（前段）にバイオファウリング抑制装置３を備えている。
【００２１】
バイオファウリング抑制装置３には、被処理水１を供給するための供給管路４が備えられている。この供給管路４には、被処理水１をバイオファウリング抑制装置３に供給するためのポンプ（第２のポンプ）５が備えられている。
【００２２】
バイオファウリング抑制装置３は、供給管路４に接続された容器６と、容器６の内部に設置された柱状体７で構成されている。容器６の内壁面と柱状体７との間には被処理水１を通水できる所定の間隙８が設けられている。なお、柱状体７は、容器６の内壁面に整流部材等で固定されている。
【００２３】
バイオファウリング抑制装置３に流入した被処理水１は、柱状体７の表面と容器６の内壁面との間に形成される間隙８を通水する。この際、被処理水１に存在するバイオファウリングの原因となる微生物は、被処理水１に存在する有機物を栄養源として、柱状体７の表面でスライム状に増殖する。
【００２４】
なお、本実施形態において通水とは、被処理水１を、柱状体７の表面と容器６の内壁面との間に形成される間隙８に流すとの意味であり、例えば、被処理水１を逆浸透膜に通過させること、すなわち、被処理水１を逆浸透膜でろ過させることなどを伴うものではない。
【００２５】
通常、バイオファウリングは、被処理水１に存在する有機物を栄養源として、微生物がスライム状に逆浸透膜エレメント２を構成する逆浸透膜の表面に増殖する。すなわち、バイオファウリングは、被処理水１中の有機物や無機物が逆浸透膜の表面を閉塞する他のファウリングと同様に、被処理水１が逆浸透膜を通過する状況下、すなわち、被処理水１が逆浸透膜でろ過される状況下で発生するものと考えられる。
【００２６】
しかしながら、本実施形態では、被処理水１を逆浸透膜に通過させることなく、すなわち、被処理水１を逆浸透膜でろ過させることなく、バイオファウリングを発生させる。この点で、本実施形態で説明するバイオファウリングの発生メカニズムは、被処理水１が逆浸透膜を通過する状況下、すなわち、被処理水１が逆浸透膜でろ過される状況下で、逆浸透膜の表面を閉塞する従来のバイオファウリングの発生メカニズムとは異なっている。
【００２７】
すなわち、本実施形態において、バイオファウリングは、被処理水１が逆浸透膜を通過する際に、すなわち、被処理水１が逆浸透膜でろ過される際に発生するものではなく、所定の間隙８に被処理水１を通水した際にも発生するとの知見に基づいてなされたものである。
【００２８】
なお、有効にバイオファウリング抑制装置３の柱状体７の表面に、バイオファウリングを発生させるためには、バイオファウリング抑制装置３の柱状体７の表面に流れる被処理水１の流量を調整することが重要である。この被処理水１の流量には、被処理水１の流速と被処理水１が流れる間隙８とが影響する。
【００２９】
バイオファウリング抑制装置３の柱状体７の表面に発生するバイオファウリングは、被処理水１に存在する有機物を栄養源として、微生物が増殖するものである。このため、バイオファウリングの発生には、有機物や微生物の存在個数が影響する。通常、同一の取水源から取水された被処理水１に存在する有機物や微生物の存在個数は被処理水１の濃度が大きく変化しない場合は、大きく変化しない。つまり、こうした場合、その存在個数はほぼ流量で決定される。
【００３０】
また、バイオファウリングの発生には、有機物を栄養源として微生物が増殖する時間も必要である。被処理水１の流速が、早すぎても遅すぎてもバイオファウリングの発生には好ましくない。特に、本実施形態においては、バイオファウリング抑制装置３の柱状体７の表面に、積極的にバイオファウリングを発生させる必要があるため、この時間、つまり被処理水１の流速は重要である。流速が大きい場合は前述の時間が短くなり、流速が小さい場合は前述の時間が長くなる。
【００３１】
簡易的には、被処理水１が流れる容器６の内部の環境と後に述べる耐圧容器（ベッセル）１２の内部の環境とをほぼ等しくすることにより、バイオファウリング抑制装置３にバイオファウリングを有効に発生させることができる。ここで、被処理水１が流れる容器６の内部とは、容器６の内壁面と柱状体７の表面との間隙８であり、被処理水１が流れる耐圧容器１２の内部とは、耐圧容器１２の内壁面と逆浸透膜エレメント２の表面との間隙８ｒである。
【００３２】
つまり、柱状体７の表面を流れる被処理水１の流速を、逆浸透膜エレメント２の表面を流れる被処理水１の流速とほぼ等しくなるように調整することが好ましい。また、間隙８と間隙８ｒとをほぼ等しくすることが好ましい。このように間隙と流速とをほぼ等しくすることにより、圧力損失を低減しつつ、逆浸透膜エレメント２の表面を流れる被処理水１の流れを、バイオファウリング抑制装置３の柱状体７の表面で再現することができ、バイオファウリング抑制装置３にバイオファウリングを有効に発生させることができる。
【００３３】
特に、耐圧容器１２の内部に設置される逆浸透膜エレメント２の前段部に形成される逆浸透膜エレメント２ｆの流速とほぼ等しくすることが好ましい。これにより、バイオファウリング抑制装置３（容器６）の内部の環境を、耐圧容器１２の内部におけるバイオファウリングの発生が最も顕著な部分の環境に近づけることができる。
【００３４】
このように、バイオファウリング抑制装置３の内部の環境と耐圧容器１２の内部の環境とが、ほぼ等しい場合、バイオファウリングは、上流のバイオファウリング抑制装置３の内部で発生する。バイオファウリングは、被処理水１中の有機物を栄養源として微生物が増殖するものであるため、バイオファウリング抑制装置３の内部でバイオファウリングを発生させることで、バイオファウリング抑制装置３の内部で有機物や微生物が消費される。これにより、下流の逆浸透膜エレメント２の表面では、被処理水１中の有機物や微生物が少なくなるため、バイオファウリングの発生を抑制できる。
【００３５】
また、柱状体７の表面に、バイオファウリングを誘発させるために、微細な凹凸を設ける等の加工を施してもよい。これにより、柱状体７の表面への、バイオファウリングの原因となる微生物の定着が容易になる。
【００３６】
また、柱状体７の表面に、所定のコーティングを施してもよい。柱状体７のコーティング材料としては、微生物の定着が容易な材料や微生物の栄養源を吸着できる特性を有する材料が好ましい。
【００３７】
例えば、微生物の定着が容易な材料としては、内部に微細な空隙を有する活性炭などがある。これにより、柱状体７の表面に有機物を吸着させることができると共に、バイオファウリングの原因となる微生物の定着が容易になり、バイオファウリングが発生しやすくなる。
【００３８】
例えば、微生物の栄養源を吸収できる特性を有する材料としては、Al2 O3 （酸化アルミニウム（アルミナ））などがある。これにより、柱状体７の表面に有機物を集めることができるため、バイオファウリングが発生しやすくなる。
【００３９】
また、柱状体７として、透過性能が低下した使用済みの逆浸透膜エレメント２を用いてもよい。これにより、耐圧容器１２の内部により近い環境を再現できる。この際、耐圧容器１２の内部における逆浸透膜エレメント２の使用方法とは異なり、容器６の内部における柱状体７として、使用済みの逆浸透膜エレメント２を用いる場合は、ろ過は行わない。なお、逆浸透膜エレメント２を形成する逆浸透膜の素材と同様な素材で、柱状体７の表面にコーティングを施してもよい。
【００４０】
また、柱状体７の形状と逆浸透膜エレメント２の形状とをほぼ等しくすることが好ましい。
【００４１】
なお、柱状体７の形状は、容器６の内部に設置した際に被処理水１を通水できる間隙８を有すことができれば、特に限定されない。例えば、図２に示すような、円柱７１、三角柱７２、六角柱７３などの多角柱としてもよい。
【００４２】
また、容器６は、柱状体７との間に被処理水１を通水できれば、特に限定されることはないが、容器６は透明であることが好ましい。また、容器６の内部に設置された柱状体７の状態を確認できる窓を容器６の一部に設ける構成としてもよい。これにより、容器６の内部に設置された柱状体７の状態を外部から確認することができ、洗浄の時期等を確認することができる。
【００４３】
バイオファウリング抑制装置３において処理された被処理水１は、バイオファウリングの原因となる有機物や微生物が消費され、容器６に接続された供給管路９に排出される。供給管路９には、高圧ポンプ（第１のポンプ）１１が形成されており、高圧ポンプ１１によって耐圧容器１２に被処理水１が加圧供給される。これにより、高圧ポンプ１１の上流側に設置される容器６の耐圧性能は、耐圧容器１２よりも低くできる。したがって、容器６の構成は、耐圧容器１２に比較して簡易にできるため、初期投資を抑えられると共に維持管理も容易となる。
【００４４】
ポンプ５は、高圧ポンプ１１よりも低圧ポンプで構成できる。逆浸透膜エレメント２においては、ろ過工程が必要であるが、バイオファウリング抑制装置３においては、ろ過工程を必要とせず、通水工程であるため、ポンプ５を高圧ポンプ１１よりも低圧のポンプで構成できる。
【００４５】
耐圧容器１２の内部には、被処理水１をろ過するための逆浸透膜エレメント２が耐圧容器１２との間に間隙８ｒを形成して設置されていると共に、濃縮水管路１４および透過水管路１６が接続されている。被処理水１は耐圧容器１２の内部に加圧供給され、耐圧容器１２と逆浸透膜エレメント２との間の間隙８ｒを通過する。
【００４６】
この際、被処理水１が耐圧容器１２に加圧供給されることで、その一部は、逆浸透膜エレメント２で逆浸透ろ過され、透過水１５となり、透過水管路１６より排出される。逆浸透膜エレメント２で逆浸透ろ過されなかった残りの被処理水１は、濃縮水１３となり、耐圧容器１２に接続されている濃縮水管路１４より排出される。
【００４７】
さらに、耐圧容器１２には、逆浸透膜エレメント２を洗浄するための第１の洗浄機構１７が設置されている。バイオファウリング抑制装置３において、被処理水１中に存在するバイオファウリングの原因となる有機物や微生物は消費されている。このため、逆浸透膜エレメント２の表面では、バイオファウリングは発生しにくい。しかし、バイオファウリング抑制装置３において、除去できなかった微生物や有機物または無機物が、逆浸透膜エレメント２におけるバイオファウリングや他のファウリングの原因となるため、これら汚染を定期的に除去する必要がある。
【００４８】
この際、第１の洗浄機構１７において用いる洗浄液は、微生物や有機物または無機物を除去できれば、特に限定されないが、逆浸透膜エレメント２にダメージを与えない洗浄液が好ましい。また、微生物や有機物または無機物を除去するために複数の洗浄液を使い分けてもよい。
【００４９】
また、洗浄液の注入方法は、洗浄液を耐圧容器１２の内部に注入できれば、特に限定されないが、例えばダイヤフラムポンプやギヤポンプ等を用いてもよい。
【００５０】
また、逆浸透膜エレメント２を洗浄する場合と同様に、バイオファウリング抑制装置３には、柱状体７を洗浄するための第２の洗浄機構１８が設置されている。柱状体７に付着したバイオファウリングを除去する必要があるためである。
【００５１】
この際、第２の洗浄機構１８において用いる洗浄液は、柱状体７に発生したバイオファウリングを除去できれば、特に限定されないが、第１の洗浄機構１７において用いた洗浄液と同様の洗浄液を用いてもよいが、これに限られるものではなく、特に、次亜塩素酸ナトリウム等を用いることが好ましい。
【００５２】
次亜塩素酸ナトリウムは、高い殺菌力と酸化力とを有しているため逆浸透膜エレメント２に使用される逆浸透膜にダメージを与えてしまい、ろ過性能等に影響を与えてしまうため、逆浸透膜エレメント２の洗浄に用いることができない。しかし、柱状体７については、ろ過性能等のダメージの影響を考慮する必要がなく、柱状体７の表面に発生したバイオファウリングを効果的に除去できる。
【００５３】
また、洗浄液の注入方法は、第１の洗浄機構１７と同様に、洗浄液をバイオファウリング抑制装置３の内部に注入できれば、特に限定されないが、例えばダイヤフラムポンプやギヤポンプ等を用いてもよい。
【００５４】
このように、本実施形態で説明する淡水化システム１０は、ろ過を必要とする部分とろ過を必要としない部分とを設置し、ろ過を必要としない部分に積極的にバイオファウリングを発生させる。したがって、洗浄に対しても有効であり、バイオファウリングの除去に、ろ過に必要な逆浸透膜のダメージを考慮することなく、高い殺菌力や酸化力を有する洗浄液を使用することができる。
【００５５】
また、バイオファウリング抑制装置３には、容器６をバイパスするバイパス管路１９が設置されている。バイパス管路１９は、容器６の上流側と下流側とを結合するように供給管路４から分岐して形成されている。
【００５６】
また、バイパス管路１９には、被処理水１を容器６に流す場合と、被処理水１をバイパス管路１９に流す場合とを切り替える切替バルブ２０が設置されている。切替バルブ２０により、ポンプ５から供給された被処理水１を、容器６またはバイパス管路１９のいずれかを流れるように切り替えることができる。
【００５７】
かかる構成とすることで、バイオファウリング抑制装置３の洗浄時にも、被処理水１を、バイパス管路１９を介して、耐圧容器１２に供給できる。これにより、バイオファウリング抑制装置３を洗浄する際に淡水化システム１０の運転を停止する必要がない。
【００５８】
以上説明したように、本実施形態で説明する淡水化システム１０は、逆浸透膜エレメント２の上流側にバイオファウリング抑制装置３を設置し、逆浸透膜エレメント２の表面に発生するバイオファウリングを、バイオファウリング抑制装置３に発生させるものである。
【００５９】
逆浸透膜エレメント２の表面に発生するバイオファウリングを低減できるため、逆浸透膜エレメント２のろ過性能の低下を防止できる。そして、逆浸透膜エレメント２の洗浄回数を少なくできるため、逆浸透膜の寿命を伸ばすことができる。
【００６０】
また、バイオファウリング抑制装置３の洗浄に、逆浸透膜エレメント２の洗浄に使用できない強力な洗浄液を使用できる。さらに、バイオファウリング抑制装置３は、逆浸透ろ過を行う場合のような耐圧性を必要としないため、維持管理を容易に行うことができる。
【００６１】
また、バイオファウリング抑制装置３を流れる被処理水１は、容器６の内部に形成される間隙８を流れるため、被処理水１をろ過する場合に比較して圧力損失が小さく、消費エネルギを低減することができる。
【産業上の利用可能性】
【００６２】
本発明は、被処理水を逆浸透膜を用いてろ過処理し、淡水を得る分野に利用可能である。
【符号の説明】
【００６３】
１          被処理水
２，２ｆ    逆浸透膜エレメント（ろ過装置）
３          バイオファウリング抑制装置
４，９      供給管路
５          ポンプ（第２のポンプ）
６          容器
７          柱状体
８，８ｒ    間隙
１０        淡水化システム
１１        高圧ポンプ（第１のポンプ）
１２        耐圧容器（ろ過装置）
１３        濃縮水
１４        濃縮水管路
１５        透過水
１６        透過水管路
１７        第１の洗浄機構
１８        第２の洗浄機構
１９        バイパス管路
２０        切替バルブ
【図１】
2014050402.tif 000003
【図２】
2014050402.tif 000004
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
被処理水を供給するための供給管路と、前記供給管路に接続される耐圧容器と、前記耐圧容器に収められ、前記被処理水を逆浸透ろ過する逆浸透膜エレメントと、前記逆浸透膜エレメントに接続され、前記被処理水のうち前記逆浸透膜エレメントを透過した透過水を、外部に排出する透過水管路と、前記耐圧容器に接続され、前記被処理水のうち前記逆浸透膜エレメントを透過しない濃縮水を、外部に排出する濃縮水管路と、前記供給管路に形成され、前記耐圧容器に前記被処理水を供給する第１のポンプと、を備える淡水化システムにおいて、
前記第１のポンプの上流側の供給管路に形成される容器と、前記容器に納められる柱状体と、前記容器の上流側の前記供給管路に形成され、前記容器に前記被処理水を供給する第２のポンプと、を有するバイオファウリング抑制装置を、さらに備え、
前記バイオファウリング抑制装置は、前記容器の内壁面と前記柱状体との間に前記被処理水を通水できる間隙を有する
ことを特徴とする淡水化システム。
【請求項２】
被処理水を供給するための供給管路と、前記供給管路に接続される耐圧容器と、前記耐圧容器に収められ、前記被処理水を逆浸透ろ過する逆浸透膜エレメントと、前記逆浸透膜エレメントに接続され、前記被処理水のうち前記逆浸透膜エレメントを透過した透過水を、外部に排出する透過水管路と、前記耐圧容器に接続され、前記被処理水のうち前記逆浸透膜エレメントを透過しない濃縮水を、外部に排出する濃縮水管路と、前記供給管路に形成され、前記耐圧容器に前記被処理水を供給する第1のポンプと、を備える淡水化システムにおいて、
前記第１のポンプの上流側の供給管路に形成される容器と、前記容器に納められる柱状体と、前記容器の上流側の前記供給管路に形成され、前記容器に前記被処理水を供給する第２のポンプと、を有するバイオファウリング抑制装置を、さらに備え、
前記柱状体の表面に前記被処理水を通水する凸部又は凹部を有することを特徴とする淡水化システム。
【請求項３】
前記逆浸透膜エレメントが、複数に分割形成され、
前記容器内の流速が、前記複数に分割形成された逆浸透膜エレメントの上流側１段目近傍の流速とほぼ同等である
ことを特徴とする請求項１又は請求項２に記載の淡水化システム。
【請求項４】
前記柱状体の表面にはアルミナがコーティングされている
ことを特徴とする請求項１又は請求項２に記載の淡水化システム。
【請求項５】
前記第２のポンプの供給圧力が、前記第１のポンプの供給圧力よりも低い
ことを特徴とする請求項１又は請求項２に記載の淡水化システム。
【請求項６】
前記容器は、外部より前記柱状体の表面を視認できる透明な部材を少なくとも一部に有する
ことを特徴とする請求項１又は請求項２に記載の淡水化システム。
【請求項７】
前記耐圧容器には前記逆浸透膜エレメントを洗浄する第１の洗浄機構を備え、前記容器には前記柱状体を洗浄する第２の洗浄機構を備える
ことを特徴とする請求項１又は請求項２に記載の淡水化システム。
【請求項８】
前記容器をバイパスするバイパス管路が、前記容器の上流側と下流側とを結合するように、前記供給管路から分岐して形成され、前記第２のポンプから供給された前記被処理水が、前記容器または前記バイパス管路のいずれかを流れるように流れを変更する切替バルブを有する
ことを特徴とする請求項１又は請求項２に記載の淡水化システム。
【請求項９】
逆浸透膜エレメントを有し、被処理水を濾過するろ過装置と、
前記ろ過装置の上流に配置される容器と、前記容器に納められる柱状体と、を有するバイオファウリング抑制装置と、を備え、
前記バイオファウリング抑制装置は、前記容器の内壁面と前記柱状体との間に前記被処理水を通水できる間隙を有する
ことを特徴とする淡水化システム。
【請求項１０】
逆浸透膜エレメントを有し、被処理水を濾過するろ過装置と、
前記ろ過装置の上流に配置される容器と、前記容器に納められる柱状体と、を有するバイオファウリング抑制装置と、を備え、
前記柱状体の表面に前記被処理水を通水する凸部又は凹部を有する
ことを特徴とする淡水化システム。
【請求項１１】
前記柱状体が、使用済みの逆浸透膜エレメントである
ことを特徴とする請求項１又は請求項９に記載の淡水化システム。
【手続補正２】
【補正対象書類名】明細書
【補正対象項目名】００１４
【補正方法】変更
【補正の内容】
【００１４】
そして、バイオファウリング抑制装置は、第１のポンプの上流側の供給管路に形成される容器と、容器に納められ、容器の内壁面との間に被処理水を通水できる間隙を有するように設置される柱状体と、容器の上流側の供給管路に形成され、容器に被処理水を供給する第２のポンプと、を有するものである。
又、バイオファウリング抑制装置は、第１のポンプの上流側の供給管路に形成される容器と、容器に納められ、容器の内壁面との間に被処理水を通水できる間隙を有するように設置される柱状体と、容器の上流側の供給管路に形成され、容器に被処理水を供給する第２のポンプと、を有し、柱状体の表面に被処理水を通水する凸部又は凹部を有するものである。
【国際調査報告】
2014050402.tif 000005
2014050402.tif 000006
2014050402.tif 000007
2014050402.tif 000008